(57)【要約】【課題】密閉型圧縮機および冷凍装置に関し、振動、騒音の低減を図る。【解決手段】密閉容器内部に磁極集中巻方式のモータにより構成した電動要素であって、電動要素は回転子と、積層した電磁鋼板のティースに巻線を集中巻した固定子を備え、前記回転子に連結された回転軸によって駆動される圧縮要素を収納してなる密閉型圧縮機において、前記電磁鋼板を熱可塑性樹脂にてモールドした密閉型圧縮機であり、磁極集中巻のモータにより構成した電動要素の振動が大であっても、電動要素を熱可塑性樹脂にて固定することで、電動要素の剛性が向上し、電磁鋼板の振動を減衰でき、密閉型圧縮機の騒音を低減するという作用を有する。【選択図】　　図２
2004052679.tif 000002
【特許請求の範囲】
【請求項１】
密閉容器内部に、電動要素と、前記電動要素によって駆動される圧縮要素とを収納し、前記電動要素は回転子と積層した電磁鋼板のティースに巻線を集中巻きした固定子とを備える磁極集中巻方式のモータであるとともに、前記電磁鋼板が熱可塑性樹脂にてモールドされていることを特徴とする密閉型圧縮機。
【請求項２】
固定子の巻線間の結線部と前記固定子の電磁鋼板とを共に熱可塑性樹脂にて一体にモールドしたことを特徴とする請求項１に記載の密閉型圧縮機。
【請求項３】
積層した電磁鋼板間に常温で固化する樹脂を侵透させることで前記電磁鋼鈑を相互に固着させたことを特徴とする請求項１または請求項２に記載の密閉型圧縮機。
【請求項４】
圧縮機と、凝縮器と、ドライヤーと、圧力調整器と、蒸発器とを備えた冷凍サイクルに、冷媒としてＲ６００ａを使用し、前記圧縮機は請求項１から３のいずれか１項に記載の密閉型圧縮機を用いたことを特徴とする冷凍装置。
【発明の詳細な説明】
【０００１】
【発明の属する技術分野】
本発明は、特に密閉型圧縮機および冷凍装置に関するものである。
【０００２】
【従来の技術】
従来の密閉型圧縮機としては特開２００１−９９０８４号公報に記載のものがある。
【０００３】
以下、図面を参照しながら上記従来の密閉型圧縮機を説明する。
【０００４】
図９は、従来の密閉型圧縮機の断面図である。図９において、密閉型圧縮機１Ａは、密閉容器２内の上側に磁極集中巻方式のモータにより構成した電動要素３が、下側にこの電動要素３の回転軸４によって駆動される２シリンダ方式の圧縮要素５が収納されている。
【０００５】
電動要素３はフレーム７の内壁に固定されている。電動要素３はフレーム７の内壁にボルト７１で固定されている。フレーム７の下端には圧縮要素５が固定されている。フレーム７の下端は、シリンダ方式の圧縮要素５の上部シリンダの上方の開口を封じるとともに回転軸４の軸受部４２が形成されており、回転軸４は軸受部４２内に挿入されスムースに回転するようになっている。
【０００６】
そして、フレーム７の外壁を密閉容器２に固定して、電動要素３と圧縮要素５を密閉容器２内に収納してある。
【０００７】
このように構成することにより、磁極集中巻方式のモータにより構成した電動要素３自身の振動は大きいが、電動要素３がフレーム７に固定されているためこの振動が密閉容器２を直接加振しない。その結果、密閉容器２の振動を減衰でき、密閉型圧縮機１Ａの振動、騒音を低減できる。
【０００８】
【発明が解決しようとする課題】
しかしながら、上記従来のように、磁極集中巻方式のモータにより構成した電動要素は振動が大きいため電動要素を固定するためのフレームの追加でコストが高くなるという欠点があった。
【０００９】
本発明は、従来の課題を解決するもので、低コストで低騒音化する事ができる密閉型圧縮器及び冷凍装置を提供することを目的とする。
【００１０】
【課題を解決するための手段】
本発明の請求項１に記載の発明は、密閉容器内部に、電動要素と、前記電動要素によって駆動される圧縮要素とを収納し、前記電動要素は回転子と積層した電磁鋼板のティースに巻線を集中巻きした固定子とを備える磁極集中巻方式のモータであるとともに、前記電磁鋼板が熱可塑性樹脂にてモールドされたものであり、磁極集中巻のモータにより構成した電動要素の加振力が大であっても、電動要素の電磁鋼板を熱可塑性樹脂にて固定することで、電磁鋼板の剛性が向上し、電動要素の振動を減衰でき、密閉型圧縮機の騒音を低減するという作用を有する。
【００１１】
本発明の請求項２に記載の発明は、請求項１記載の発明に，さらに，固定子の巻線間の結線部と電磁鋼板とを熱可塑性樹脂にて一体にモールドしたものであり、磁極集中巻のモータにより構成した電動要素の加振力が大であっても、巻線間の結線部と電磁鋼板を熱可塑性樹脂にて固定することで、結線部と電磁鋼板とが振動により干渉して発生する接触音を抑えることができ、密閉型圧縮機の騒音を低減するという作用を有する。
【００１２】
本発明の請求項３に記載の発明は、請求項１または請求項２に記載の発明に，さらに，積層した電磁鋼板間に常温で固化する樹脂を侵入させることで電磁鋼板を相互に固着させたものであり、磁極集中巻のモータにより構成した電動要素の加振力が大であっても、電磁鋼板相互を常温で固化する樹脂で固着することで、電磁鋼板間に介在する樹脂により電磁鋼板の振動を吸振でき、密閉型圧縮機の騒音を低減するという作用を有する。
【００１３】
本発明の請求項４に記載の発明は、請求項１から３のいずれか１項に記載した発明の密閉型圧縮機と，凝縮器と、ドライヤーと、圧力調整器と、蒸発器とを備えた冷凍サイクルに、冷媒としてＲ６００ａを使用した冷凍装置であり、低騒音の密閉型圧縮機を使用することで、冷凍装置の騒音を低減するという作用を有する。
【００１４】
【発明の実施の形態】
以下、本発明による密閉型圧縮機の実施の形態について図面を参照にしながら説明する。なお、従来と同一構成については、同一符号を付して詳細な説明を省略する。
【００１５】
（実施の形態１）
図１は、本発明の実施の形態１による密閉型圧縮機の断面図である。図２は、同実施の形態の密閉型圧縮機の固定子の断面図である。図３は同実施の形態の密閉型圧縮機の固定子の平面図である。
【００１６】
図１、図２、図３において、密閉型圧縮機１１は、密閉容器２内の上側に磁極集中巻方式のモータにより構成した電動要素４３が、下側にこの電動要素４３の回転軸４によって駆動されるシリンダ方式の圧縮要素５が収納されている。
【００１７】
磁極集中巻方式のモータは密閉容器２内の内壁に固着された固定子８と、この固定子８の内部で回転軸４に挿着された回転子９とからなる。固定子８は、積層した電磁鋼鈑１２に形成された複数のティース１３とスロット（図示せず）を利用して直接巻線１４を施している。電磁鋼鈑１２、ティース１３、巻線１４はポリエチレンテレフタレート、ポリエチレン、ポリプロピレン等の熱可塑性樹脂１５を用いて覆うようモールドし、一体化している。
【００１８】
以上のように構成された密閉型圧縮機について、以下その動作を説明する。
【００１９】
磁極集中巻方式のモーターにより構成された電動要素４３の回転子９が回転することにより、回転軸４によって伝達され、シリンダ方式の圧縮要素５にて密閉容器内の冷媒ガスを圧縮する。
【００２０】
密閉型圧縮機の運転中に磁極集中巻方式のモータは固定子８のティース１３の数が少なくコギングトルクが増大するため、モータ自身の振動が大きくこの振動が固定子８を固着した密閉容器２を直接加振する。
【００２１】
ここで、積層された電磁鋼鈑１２、ティース１３、巻線１４は熱可塑性樹脂により一体化しているため、電動要素の剛性が向上し、回転子と固定子間の磁力による電磁鋼板１２の振動を減衰することができる。その結果、密閉容器２加振力が低下し密閉型圧縮機１１の振動、騒音を低減できる。
【００２２】
（実施の形態２）
図４は、本発明の実施の形態２による密閉型圧縮機の断面図である。図５は、同実施の形態の密閉型圧縮機の固定子の平面図である。
【００２３】
図４、図５において、本発明の密閉型圧縮機４１は、密閉容器２内の上側に磁極集中巻方式のモータにより構成した電動要素４４が、下側にこの電動要素４４の回転軸４によって駆動されるシリンダ方式の圧縮要素５が収納されている。
【００２４】
磁極集中巻方式のモータは密閉容器２内の内壁に固着された固定子８と、この固定子８の内部で回転軸４に挿着された回転子９とからなる。固定子８は、積層した電磁鋼鈑１２に形成された複数のティース１３とスロット（図示せず）を利用して直接巻線１４を施している。結線部３５は，積層された電磁鋼板１２の端面に配置され、巻線１４の巻き始め、巻線間および巻き終わりの接続部分で，密閉容器２に配設したターミナル（図示せず）を通じ，電源に接続されている。結線部３５は電磁鋼板１２とともにポリエチレンテレフタレート、ポリエチレン、ポリプロピレン等の熱可塑性樹脂１５を用いて覆うようにモールドし、一体化している。
【００２５】
以上のように構成された密閉型圧縮機について、以下その動作を説明する。
【００２６】
磁極集中巻方式のモーターにより構成された電動要素４４の回転子９が回転することにより、回転軸４によって伝達され、シリンダ方式の圧縮要素５にて密閉容器内の冷媒を圧縮する。
【００２７】
密閉型圧縮機の運転中に磁極集中巻方式のモーターは固定子のティース数が少なくコギングトルクが増大するため、モータ自身の振動が大きくなる傾向を持ち，この振動が固定子８を固着した密閉容器２を直接加振する。
【００２８】
ここで、積層された電磁鋼鈑１２と巻線１４端部の結線部３５は熱可塑性樹脂により一体化しているため、電動要素４４の剛性が向上し、回転子と固定子間の磁力による電磁鋼板１２の振動を減衰することができる。さらに，電磁鋼板１２の振動によって接続部３５との干渉による騒音の発生も抑えられる。その結果、密閉容器２加振力が低下し密閉型圧縮機３１の振動、騒音を低減できる。
【００２９】
また、結線部部分を熱可塑性樹脂にて一体化しているため、結線部３５における電気的接続部の脱落による離線等の不安定要因を取り除くことができ，信頼性を向上することができた。
【００３０】
（実施の形態３）
図６は、本発明の実施の形態３による密閉型圧縮機の断面図である。図７は、同実施の形態の密閉型圧縮機の固定子の断面図である。
【００３１】
図６、図７において、密閉型圧縮機３１は、密閉容器２内の上側に磁極集中巻方式のモータにより構成した電動要素４４が、下側にこの電動要素４５の回転軸４によって駆動されるシリンダ方式の圧縮要素５が収納されている。
【００３２】
磁極集中巻方式のモータは密閉容器２内の内壁に固着された固定子８と、この固定子８の内部で回転軸４に挿着された回転子９とからなる。固定子９は、積層した電磁鋼鈑１２に形成された複数のティース１３とスロット（図示せず）を利用して直接巻線１４を施している。積層された電磁鋼鈑１２とティース１３、および巻線１４には変性エポキシ樹脂等の部材の隙間に浸入し固化する樹脂１６を施している。
【００３３】
以上のように構成された密閉型圧縮機について、以下その動作を説明する。
【００３４】
磁極集中巻方式のモーターにより構成された電動要素４５の回転子９が回転することにより、回転軸４によって伝達され、シリンダ方式の圧縮要素５にて密閉容器内の冷媒を圧縮する。
【００３５】
密閉型圧縮機の運転中に磁極集中巻方式のモーターは固定子のティース数が少なくコギングトルクが増大するため、モータ自身の振動が大きくこの振動が固定子８を固着した密閉容器２を直接加振する。
【００３６】
積層された電磁鋼鈑１２とティース１３、および巻線１４には部材の隙間に侵入し固化する樹脂１６を施しているため、電動要素４４の剛性が向上し、回転子と固定子間の磁力による電磁鋼板１２の振動を減衰することができる。その結果、密閉容器２への加振力が低下し密閉型圧縮機３１の振動、騒音を低減できる。
【００３７】
（実施の形態４）
図８は、本発明の実施の形態４による密閉型圧縮機の冷凍装置図である。本実施例における密閉型圧縮機の構成は図１、図２、図３に示された実施の形態１における圧縮機と同一である。
【００３８】
図８において、冷凍装置６８は、積層した電磁鋼鈑のティースに巻線を集中巻きした固定子をポリエチレンテレフタレート、ポリエチレン、ポリプロピレン等の熱可塑性樹脂にてモールドした密閉型圧縮機１１と、凝縮器２１、ドライヤー２２、圧力調整器２３、蒸発器２４、および、冷凍装置内を循環する冷媒２６は炭化水素系冷媒（例えばＲ６００ａ）から構成される。
【００３９】
以上のように構成された冷凍装置について、以下その動作を説明する。
【００４０】
密閉型圧縮機１１より、高温、高圧に圧縮された気体の冷媒２６が凝縮器２１に導かれる。凝縮器２１により周囲に熱を放熱することにより液化され、ドライヤ２２を通過し、圧力調整器２３により減圧された冷媒２６は、蒸発器２４に導かれ蒸発することにより、周囲より熱を吸収して冷凍効果を得ることができた。
【００４１】
積層した電磁鋼鈑のティースに巻線を集中巻きした固定子を熱可塑性樹脂にてモールドして低騒音化した密閉型圧縮機１１を冷凍サイクルに用いることで、冷凍装置の騒音を低減できた。
【００４２】
また、冷媒に地球温暖化係数の極めて小さな炭化水素系冷媒（Ｒ６００ａ）を用いる事により地球温暖化を抑える事ができた。
【００４３】
尚、本実施の形態について、積層した電磁鋼鈑のティースに巻線を集中巻きした固定子を熱可塑性樹脂にてモールドした材料に、冷媒としてＲ６００ａ、冷凍機油に鉱油を用いる時、冷媒、冷凍機油に適合性のある材料として、例えば、熱可塑性樹脂であるポリエチレンテレフタレート、ポリエチレン、ポリプロピレン、ナイロンを使用すると、冷凍装置内で圧力調整器への付着物がなく信頼性の高いシステムを供給できるという効果が得られる。
【００４４】
【発明の効果】
以上説明したように、請求項１記載の発明は、電動要素の剛性が向上し、電磁鋼板の振動を減衰でき、密閉型圧縮機新の振動、騒音を低減できる。
【００４５】
また、請求項２に記載の発明は、電磁鋼板と接続部の干渉による騒音を防ぐことができ、密閉型圧縮機の振動、騒音を低減できる。
【００４６】
また、請求項３に記載の発明は、電磁鋼板間に介在する樹脂にて固定することで、電磁鋼板の振動を減衰でき、密閉型圧縮機の騒音を低減できる。
【００４７】
また、請求項４に記載の発明は、低騒音の密閉型圧縮機を使用したので、冷凍装置の騒音を低減できる。
【図面の簡単な説明】
【図１】本発明による密閉型圧縮機の実施の形態１の断面図
【図２】同実施の形態の固定子の断面図
【図３】同実施の形態の固定子の平面図
【図４】本発明による密閉型圧縮機の実施の形態２の断面図
【図５】同実施の形態の固定子の平面図
【図６】本発明による密閉型圧縮機の実施の形態３の断面図
【図７】同実施の形態の固定子の断面図
【図８】本発明による冷凍装置の実施の形態４の構成図
【図９】従来の密閉型圧縮機の断面図
【符号の説明】
２　　密閉容器
５　　圧縮要素
８　　固定子
９　　回転子
１１　密閉型圧縮機
１２　電磁鋼板
１３　ティース
１４　巻線
１５　熱可塑性樹脂
１６　　隙間に侵入し固化する樹脂
２１　凝縮器
２２　ドライヤー
２３　圧力調整器
２４　蒸発器
３１　密閉型圧縮機
３５　結線部
４１　密閉型圧縮機
４３　電動要素
４４　電動要素
４５　電動要素
６８　　冷凍装置
【図１】
2004052679.tif 000003
【図２】
2004052679.tif 000004
【図３】
2004052679.tif 000005
【図４】
2004052679.tif 000006
【図５】
2004052679.tif 000007
【図６】
2004052679.tif 000008
【図７】
2004052679.tif 000009
【図８】
2004052679.tif 000010
【図９】
2004052679.tif 000011